(57)【要約】【課題】光源の正反射像の映り込みを防止する。【解決手段】撮像対象が載置されるマット部１０と、マット部に対向して配置された撮像部２６と、マット部に対して撮像部を任意の位置で支持する支持部と、撮像部の中心軸ＣＬを中心にして撮像部の周囲を囲む光源２７と、光源とマット部の表面との間に配置された遮光部２５とを備え、遮光部は、光源からマット部に向けて照射された光のマット部の表面で反射した正反射光が撮像部の開口部に入らないように、光を部分的に遮光する。【選択図】図５
2012169801.tif 000002
【特許請求の範囲】
【請求項１】
撮像対象が載置されるマット部と、当該マット部に対向して配置された撮像部と、当該マット部に対して当該撮像部を任意の位置で支持する支持部とを有する非接触スキャナ装置において、
前記撮像部の中心軸を中心にして前記撮像部の周囲を囲む光源と、
前記光源と前記マット部の表面との間に配置された遮光部とを備え、
前記遮光部は、前記光源から前記マット部に向けて照射された光の前記マット部の表面で反射した正反射光が前記撮像部の開口部に入らないように、部分的に遮光する
ことを特徴とする非接触スキャナ装置。
【請求項２】
請求項１に記載の非接触スキャナ装置において、
前記遮光部は、側面方向から見て、前記撮像部の中心軸を中心にして、前記マット部の表面で反射して前記光源の左側内端と前記撮像部の前記受光面の右側外端とを結ぶビーム角方向の線を第１結線とし、前記マット部の表面で反射して前記光源の右側内端と前記撮像部の前記受光面の左側外端とを結ぶビーム角方向の線を第２結線とする場合に、当該遮光部の左側内端の位置が前記光源と前記マット部の表面との間の前記第１結線上又は前記第１結線よりも内側に設定されており、かつ、当該遮光部の右側内端の位置が前記光源と前記マット部の表面との間の前記第２結線上又は前記第２結線よりも内側に設定されている
ことを特徴とする非接触スキャナ装置。
【請求項３】
請求項２に記載の非接触スキャナ装置において、
前記遮光部は、側面方向から見て、前記撮像部の中心軸と前記マット部との交点を撮像中心点とし、前記光源の左側内端と前記撮像中心点とを結ぶビーム角方向の線を第３結線とし、前記光源の右側内端と前記撮像中心点とを結ぶビーム角方向の線を第４結線とする場合に、当該遮光部の左側外端の位置が前記光源と前記マット部の表面との間の前記第３結線上に設定されており、かつ、当該遮光部の右側内端の位置が前記光源と前記マット部の表面との間の前記第４結線上に設定されている
ことを特徴とする非接触スキャナ装置。
【請求項４】
請求項２又は請求項３に記載の非接触スキャナ装置において、
前記遮光部は、側面方向から見て、前記撮像部の中心軸を中心にして、前記マット部の表面で反射して前記光源の左側外端と前記撮像部の前記受光面の左側外端とを結ぶビーム角方向の線を第５結線とし、前記マット部の表面で反射して前記光源の右側外端と前記撮像部の前記受光面の右側外端とを結ぶビーム角方向の線を第６結線とする場合に、当該遮光部の左側外端の位置が前記光源と前記マット部の表面との間の前記第５結線上又は前記第５結線よりも外側に設定されており、かつ、当該遮光部の右側外端の位置が前記光源と前記マット部の表面との間の前記第６結線上又は前記第６結線よりも外側に設定されている
ことを特徴とする非接触スキャナ装置。
【請求項５】
請求項２乃至請求項４のいずれか一項に記載の非接触スキャナ装置において、
前記遮光部は、前記撮像部の前記受光面と平行に配置されている
ことを特徴とする非接触スキャナ装置。
【請求項６】
請求項２乃至請求項５のいずれか一項に記載の非接触スキャナ装置において、
前記光源及び前記撮像部は、前記第１結線と前記マット部との交点及び前記第２結線と前記マット部との交点が前記撮像部の中心軸上に位置するように、前記マット部からの距離が設定されている
ことを特徴とする非接触スキャナ装置。
【請求項７】
請求項１乃至請求項６のいずれか一項に記載の非接触スキャナ装置において、
前記光源は、上面方向から見て、前記撮像部の周囲を囲む、リング状に形成されている
ことを特徴とする非接触スキャナ装置。
【請求項８】
請求項１乃至請求項７のいずれか一項に記載の非接触スキャナ装置において、
前記光源は、上面方向から見て、前記撮像部の周囲を円状に囲む、同一面内の、複数の発光体が配置された構成になっている
ことを特徴とする非接触スキャナ装置。
【請求項９】
請求項１乃至請求項６のいずれか一項に記載の非接触スキャナ装置において、
前記光源は、上面方向から見て、前記撮像部の中心軸を中心にして、点対称の位置に、等間隔に、複数の発光体が配置された構成になっている
ことを特徴とする非接触スキャナ装置。
【請求項１０】
請求項１乃至請求項９のいずれか一項に記載の非接触スキャナ装置において、
前記支持部は、前記マット部と前記撮像部との距離を一定に保ちながら、前記撮像部を水平方向に移動可能に支持する
ことを特徴とする非接触スキャナ装置。
【請求項１１】
請求項１乃至請求項１０のいずれか一項に記載の非接触スキャナ装置において、
さらに、前記撮像部と前記光源との間に配置された仕切り板を有しており、
前記仕切り板は、側面方向から見て、下端の位置が前記撮像部の高さと同一又は前記撮像部の高さよりも下に設定されている
ことを特徴とする非接触スキャナ装置。
【発明の詳細な説明】
【技術分野】
【０００１】
本発明は、撮像対象の画像を取得する非接触スキャナ装置に関し、特に、光源の正反射像の映り込みを防止する非接触スキャナ装置に関する。
【背景技術】
【０００２】
非接触スキャナ装置は、撮像対象が載置されるマット部と、撮像対象を撮像する撮像部と、撮像部を支持する支持部とを有する構成になっている（例えば、特許文献１参照）。
【０００３】
オペレータは、撮像対象として各種の帳票（用紙）やカード等の媒体をマット部の上に載置し、撮像部をマット部から離間させた状態で、非接触スキャナ装置に撮像させる。これにより、非接触スキャナ装置は、撮像対象の画像を取得する。
【先行技術文献】
【特許文献】
【０００４】
【特許文献１】特開２００１−１８６３０４号公報
【発明の概要】
【発明が解決しようとする課題】
【０００５】
従来の非接触スキャナ装置は、以下に説明するように、光沢のある媒体（例えば、運転免許証）を撮像対象にする場合に、光源の正反射像を取り込み易いため、光源の正反射像が画像に映り込み易い、という課題があった。
【０００６】
通常、非接触スキャナ装置は、自然光を使用して撮像するため、使用可能な照度の基準が規定されている。そのため、オペレータは、非接触スキャナ装置を基準よりも暗い場所に設置する場合に、照明環境が基準を満たす照度となるように、照明用の光源を設置場所の天井に設置するか、又は、照明用の光源を非接触スキャナ装置に取り付けるかして、照明環境の変更を行う必要がある。
【０００７】
照明用の光源の天井への設置は、比較的大きなコストがかかる。これに対して、照明用の光源の非接触スキャナ装置への取り付けは、比較的小さなコストで実現することができる。そのため、一般に、照明環境の変更は、照明用の光源を非接触スキャナ装置に取り付けることによって行われている。
【０００８】
しかしながら、照明用の光源の非接触スキャナ装置への取り付けは、マット部上に照度差が生じ易い。そのため、光源は、マット部上に照度差が生じないように、マット部全体を照らす必要がある。そのためには、光源は、マット部の中央部の上方に配置される必要がある。そのマット部の中央部の上方には、通常、撮像部が配置されている。それは、撮像部の直下の位置は、撮像部が天井に設置された照明用の光源の直射光や自然光を遮るため、これら直射光や自然光のマット部の表面（厳密には、マット部に載置された撮像対象の表面）で反射する光（以下、「正反射光」と称する）を除外できる場合が多いからである。したがって、非接触スキャナ装置は、通常、照明用の光源を撮像部の周囲に配置し、マット部の中央部に位置する撮像部の直下の位置を、撮像対象の基本的な載置位置として運用している。
【０００９】
しかしながら、照明用の光源をマット部の中央部の上方（すなわち、撮像部の周囲）に配置した場合に、非接触スキャナ装置は、例えば運転免許証等の光沢のある媒体を撮像対象にすると、撮像部の直下の領域で正反射（鏡面反射）が発生してしまい、その結果、照明用の光源の正反射像が映り込み易くなる。この光源の正反射像は、光源からの正反射光（すなわち、光源から照射されて撮像対象の表面で反射した光）が撮像部の受光面に入り込むことによって、撮像部で結像された像である。
【００１０】
照明用の光源の正反射像が映り込む場合に、オペレータは、（１）そのような媒体を撮像対象から除外するか、又は、（２）照明用の光源の正反射像を映り込ませないマット部上の位置を探し、撮像対象をその位置上に配置して、非接触スキャナ装置に撮像をさせるか、を行う必要があった。
【００１１】
本発明は、前記した課題を解決するためになされたものであり、光源の正反射像の映り込みを防止する非接触スキャナ装置を提供することを主な目的とする。
【課題を解決するための手段】
【００１２】
前記目的を達成するため、本発明は、撮像対象が載置されるマット部と、当該マット部に対向して配置された撮像部と、当該マット部に対して当該撮像部を任意の位置で支持する支持部とを有する非接触スキャナ装置であって、前記撮像部の中心軸を中心にして前記撮像部の周囲を囲む光源と、前記光源と前記マット部の表面との間に配置された遮光部とを備え、前記遮光部は、前記光源から前記マット部に向けて照射された光の前記マット部の表面（厳密には、前記マット部上に載置された前記撮像対象の表面）で反射した正反射光が前記撮像部の開口部に入らないように、部分的に遮光する構成とする。
【００１３】
この非接触スキャナ装置は、光源からの正反射光が撮像部の開口部に入らないように、遮光部が、照射光を部分的に遮光する。そのため、この非接触スキャナ装置は、光源の正反射像の映り込みを防止することができる。
【発明の効果】
【００１４】
本発明によれば、光源の正反射像の映り込みを防止する非接触スキャナ装置を提供することができる。
【図面の簡単な説明】
【００１５】
【図１】実施形態に係る非接触スキャナ装置の全体の構成を示す図（１）である。
【図２】実施形態に係る非接触スキャナ装置の全体の構成を示す図（２）である。
【図３】実施形態に係る非接触スキャナ装置を操作するための画面の一例を示す図である。
【図４Ａ】実施形態に係る非接触スキャナ装置の画像読取部の構成を示す図（１）である。
【図４Ｂ】実施形態に係る非接触スキャナ装置の画像読取部の構成を示す図（２）である。
【図５】実施形態に係る非接触スキャナ装置の要部の位置関係を示す図である。
【図６】実施形態に係る非接触スキャナ装置の撮像時の動作状態を示す図（１）である。
【図７】実施形態に係る非接触スキャナ装置の撮像時の動作状態を示す図（２）である。
【図８】比較例に係る非接触スキャナ装置の撮像時の動作状態を示す図である。
【発明を実施するための形態】
【００１６】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１７】
＜非接触スキャナ装置の全体の構成＞
以下、図１及び図２を参照して、本実施形態に係る非接触スキャナ装置１の全体の構成につき説明する。図１及び図２は、それぞれ、本実施形態に係る非接触スキャナ装置１の全体の構成を示す図である。図１は、斜め上方向から見た非接触スキャナ装置１の全体の構成を示している。また、図２（ａ）は、側面方向から見た非接触スキャナ装置１の全体の構成を示しており、図２（ｂ）は、上面方向から見た非接触スキャナ装置１の全体の構成を示している。
【００１８】
図１及び図２に示すように、非接触スキャナ装置１は、マット部１０、画像読取部２０、支持部３０を有している。
【００１９】
マット部１０は、撮像対象が載置される構成要素である。マット部１０には、撮像対象として、様々な種類の帳票（用紙）やカード等の媒体が載置される。非接触スキャナ装置１は、マット部１０に載置された媒体を、画像読取部２０によって非接触な状態で撮像する。ここでは、光沢のある帳票Ｐを撮像対象とする場合を想定して説明する。ただし、非接触スキャナ装置１は、例えば、運転免許証等のカードを撮像対象として撮像することもできる。帳票Ｐは、表面に光沢があるため、光源２７から照射された光を正反射（鏡面反射）する。
【００２０】
以下、光源２７から照射された光と、光源２７から照射されて撮像対象（ここでは、帳票Ｐ）の表面で反射された光とを区別する場合に、光源２７から照射された光を「照射光」と称し、撮像対象の表面で反射された光を「正反射光」と称する。
【００２１】
画像読取部２０は、マット部１０に載置された媒体を撮像する構成要素である。ここでは、「撮像」とは、撮像対象の画像を光学的に読み取り、撮像対象の画像を取得する動作を意味している。画像読取部２０は、マット部１０と対向する側に、撮像部２６及び光源２７を備えている。撮像部２６は、撮像を実行する構成要素である。光源２７は、撮像対象やマット部１０に光を照らす構成要素である。画像読取部２０の具体的な構成については、図４Ａ及び図４Ｂを用いて後記する。
【００２２】
支持部３０は、画像読取部２０を支持する構成要素である。支持部３０は、画像読取部２０に設けられた撮像部２６がマット部１０から所定の距離Ｈ（図５参照）だけ離間した状態になるように、画像読取部２０を支持する。図１及び図２に示す例では、支持部３０は、支柱部３０ａ、アーム部３０ｂ、及び、取付部３０ｃを備えた構成になっている。支柱部３０ａは、マット部１０に支持された棒状の部材であり、マット部１０に対して略垂直方向に突出している。アーム部３０ｂは、支柱部３０ａに支持された棒状の部材であり、マット部１０に対して略水平な配置になっている。取付部３０ｃは、画像読取部２０をアーム部３０ｂに取り付ける構成要素である。ここでは、取付部３０ｃは、先端部が「おねじ」として構成されており、その先端部が「めねじ」として構成された画像読取部２０の係合部２１ｂ（図４Ａ（ｃ）参照）に係合するものとして説明する。ただし、取付部３０ｃは、このような形態に限らず、適宜様々な形態に変更することができる。例えば、取付部３０ｃは、ロアフレーム２２がアッパフレーム２１に嵌まるように、ロアフレーム２２の口径をアッパフレーム２１の口径よりも少し大きな構成とし、これにより、ロアフレーム２２を着脱できるようにしてもよい。
【００２３】
本実施形態では、図２（ｂ）に示すように、非接触スキャナ装置１は、支持部３０が支柱部３０ａを中心にして矢印方向に回動可能な構成になっている。そのため、非接触スキャナ装置１は、画像読取部２０を、マット部１０から所定の距離Ｈ（図５参照）だけ離間させた状態で、水平方向に移動させることができる。なお、非接触スキャナ装置１は、好ましくは、画像読取部２０がマット部１０の略中心位置に配置されたときに、音や感触等によって、オペレータにそのことを知らせる構成にするとよい。ただし、非接触スキャナ装置１は、画像読取部２０がマット部１０の略中心位置で固定された状態で支持されるように、支持部３０を可動不能な構成にすることもできる。
【００２４】
非接触スキャナ装置１は、図１に示すように、上位装置としてのパーソナルコンピュータ（以下「ＰＣ」と称する）９０と接続されている。オペレータは、ＰＣ９０の表示部９１に表示された画像（図３参照）を見ながら、ＰＣ９０を操作して、非接触スキャナ装置１に撮像対象の画像を取得させる。
【００２５】
図３は、本実施形態に係る非接触スキャナ装置１を操作するための画面の一例を示す図である。図３（ａ）は、非接触スキャナ装置１に撮像を指示するための画面（以下、「撮像指示画面」と称する）９１ａの一例を示しており、また、図３（ｂ）は、非接触スキャナ装置１によって撮像された画像を表示した画面（以下、「読取画像表示画面」と称する）９１ｂの一例を示している。撮像指示画面９１ａは、画面の一部に、非接触スキャナ装置１に撮像を指示するための「撮像」ボタンと、非接触スキャナ装置１に撮像動作を終了させるための「終了」ボタンとを含む構成となっている。読取画像表示画面９１ｂは、画面の一部に、撮像された帳票Ｐの画像と、次の帳票の撮像を行うために、非接触スキャナ装置１に撮像指示画面９１ａの表示を指示するための「次帳票」ボタンと、非接触スキャナ装置１に撮像動作を終了させるための「終了」ボタンとを含む構成となっている。
【００２６】
＜非接触スキャナ装置の画像読取部の構成＞
以下、図４Ａ及び図４Ｂを参照して、本実施形態に係る非接触スキャナ装置１の画像読取部２０の構成につき説明する。図４Ａ及び図４Ｂは、それぞれ、本実施形態に係る非接触スキャナ装置１の画像読取部２０の構成を示す図である。
【００２７】
なお、ここでは、「左」、「右」、「内」、及び、「外」は、図４Ａ（ａ）に示す撮像部２６の中心軸ＣＬを基準にしている。
【００２８】
図４Ａ（ａ）は、画像読取部２０の側断面の構成を示している。図４Ａ（ｂ）は、下面方向から見た画像読取部２０の構成を示している。図４Ａ（ｃ）は、斜め上方向から見た画像読取部２０の構成を示している。図４Ａ（ｄ）は、斜め下方向から見た画像読取部２０の構成を示している。図４Ａ（ａ）〜図４Ａ（ｄ）では、画像読取部２０は、非接触スキャナ装置１から取り外された状態となっている。図４Ｂ（ａ）は、画像読取部２０に設けられた撮像部２６の構成を概略的に示している。図４Ｂ（ｂ）は、画像読取部２０に設けられた光源２７の構成を概略的に示している。
【００２９】
図４Ａ（ａ）に示すように、画像読取部２０は、アッパフレーム２１及びロアフレーム２２を備えている。アッパフレーム２１は、画像読取部２０の上方側を構成するフレーム部材である。ロアフレーム２２は、画像読取部２０の下方側を構成するフレーム部材である。なお、本実施形態では、アッパフレーム２１及びロアフレーム２２は、共に、略同径の円盤状の形状になっている。画像読取部２０は、アッパフレーム２１とロアフレーム２２とを組み合わせた構成であるため、全体が、撮像部２６の中心軸ＣＬ（図４Ａ（ａ）参照）を中心とする、円盤状の形状になっている。
【００３０】
アッパフレーム２１は、例えば、樹脂材によって構成されている。アッパフレーム２１は、図４Ａ（ａ）に示すように、下面側（すなわち、マット部１０（図１参照）と対向する側）の内部に、撮像部２６、光源２７、及び、仕切り板２１ａを備えている。
【００３１】
仕切り板２１ａは、光源２７からの照射光が撮像部２６に直接入らないように、撮像部２６と光源２７との間を仕切る構成要素である。仕切り板２１ａは、撮像部２６と光源２７との間に、設けられている。仕切り板２１ａは、アッパフレーム２１の一部が下側に突出するように成形されることによって、構成されている。仕切り板２１ａは、側面方向から見て、下端の位置が撮像部２６の受光面の高さと同一又は撮像部２６の受光面の高さよりも下に設定されている。
【００３２】
本実施形態では、撮像部２６は、上面方向から見て（又は、図４Ａ（ｂ）に示すように、下面方向から見て）、撮像部２６の中心軸ＣＬを中心とする、円形に形成されている。また、光源２７は、上面方向から見て（又は、図４Ａ（ｂ）に示すように、下面方向から見て）、撮像部２６の中心軸ＣＬ（図４Ａ（ａ）参照）を中心とする、撮像部２６の周囲を囲む、リング状に形成されている。また、仕切り板２１ａは、上面方向から見て（又は、図４Ａ（ｂ）に示すように、下面方向から見て）、撮像部２６と光源２７との間で、撮像部２６の中心軸ＣＬ（図４Ａ（ａ）参照）を中心とする、撮像部２６の周囲を囲む、リング状に形成されている。
【００３３】
また、アッパフレーム２１は、図４Ａ（ｃ）に示すように、上面側の中心部に、係合部２１ｂを備えている。係合部２１ｂは、支持部３０の取付部３０ｃ（図１及び図２（ａ）参照）と係合する構成要素である。ここでは、係合部２１ｂは、「めねじ」として構成されており、「おねじ」として構成された支持部３０の取付部３０ｃの先端部に係合するものとして説明する。ただし、係合部２１ｂは、このような形態に限らず、適宜様々な形態に変更することができる。
【００３４】
ロアフレーム２２は、例えば、樹脂材によって構成されている。ロアフレーム２２は、透明部分と不透明部分とに区画されている。透明部分は、光を透過させる透光部２３，２４（図４Ａ（ａ）、図４Ａ（ｂ）、及び、図４Ａ（ｃ）参照）となる。一方、不透明部分は、光を遮る遮光部２５（図４Ａ（ａ）、図４Ａ（ｂ）、及び、図４Ａ（ｃ）参照）となる。
【００３５】
透明部分（透光部２３，２４）は、照射光（すなわち、光源２７から照射された光）を透過させて、照射光によって撮像対象を照らし、撮像対象を所定の明るさ以上にする。これに対して、不透明部分（遮光部２５）は、照射光を部分的に遮って、光源２７の正反射像（すなわち、光源２７から照射され、撮像対象で正反射された光）が撮像部２６の開口部２６ｂ（図４Ｂ（ａ）参照）に入らないようにする。
【００３６】
透明部分（透光部２３，２４）及び不透明部分（遮光部２５）は、例えば、透明な樹脂材を用いてロアフレーム２２全体を成形して、その一部を着色することにより、形成することができる。又は、透明部分（透光部２３，２４）及び不透明部分（遮光部２５）は、例えば、透明な樹脂材と有色の樹脂材とを用いてロアフレーム２２を成形することによっても、形成することができる。
【００３７】
本実施形態では、透光部２３は、上面方向から見て（又は、図４Ａ（ｂ）に示すように、下面方向から見て）、撮像部２６の中心軸ＣＬを中心とする、撮像部２６よりもサイズの大きな円形状に形成されている。また、透光部２４及び遮光部２５は、上面方向から見て（又は、図４Ａ（ｂ）に示すように、下面方向から見て）、撮像部２６の中心軸ＣＬを中心とする、撮像部２６の周囲を囲む、リング状に形成されている。
【００３８】
なお、透光部２３は、ロアフレーム２２に設けられた開口として、構成することもできる。また、透光部２４は、画像読取部２０が撮像部２６の直下付近の狭い領域にしか照射光を照射しない構成に限定してもよいのであれば（すなわち、非接触スキャナ装置１が撮像対象として比較的小さな媒体（例えば、運転免許証等のカード）しか撮像しない構成に限定してもよいのであれば）、遮光部（すなわち、不透明部分）として構成することもできる。
【００３９】
ここで、図４Ｂ（ａ）を参照して、撮像部２６の構成につき説明する。図４Ｂ（ａ）に示す例では、撮像部２６は、撮像素子２６ａ、レンズ２６ｃ、及び、絞り機構２６ｄを備え、絞り機構２６ｄにより、開口部２６ｂが形成されている。撮像素子２６ａは、開口部２６ｂから取り込まれ、表面に結像した像を電気信号に変換する構成要素である。レンズ２６ｃは、光を撮像素子２６ａに結像させる構成要素である。絞り機構２６ｄは、光束を絞る機構である。光は、開口部２６ｂ、レンズ２６ｃ、及び、絞り機構２６ｄを通過して、撮像素子２６ａに到達する。
【００４０】
ここでは、レンズ２６ｃが凸レンズとして構成されている場合を想定して説明する。レンズ２６ｃは、撮像部２６の中心軸ＣＬを光軸としている。また、レンズ２６ｃは、両凸部の境目である主平面ＣＬＨがマット部１０（図１参照）と平行な面になっている。なお、レンズ２６ｃは、側面方向から見た場合に、開口部２６ｂの内周面がレンズ２６ｃの外端（図５に示す右側外端ｅ１及び左側外端ｅ２）となる。
【００４１】
また、ここで、図４Ｂ（ｂ）を参照して、光源２７の構成につき説明する。図４Ｂ（ｂ）に示す例では、光源２７は、発光面側に、発光体として、例えば、ＬＥＤ素子等の複数の発光素子２２７を備えている。各発光素子２２７は、それぞれ、発光面からビーム角θで光を射出している。ここでは、「ビーム角θ」とは、光軸の最大光度に対して、光度が１／２又は１／１０になる左右２方向がなす角度を意味している。なお、光源２７は、側面方向から見た場合に、最内側の発光素子２２７の位置が、光源２７の内端（図５に示す左側内端Ｅ１又は右側内端Ｅ２）となり、また、最外側の発光素子２２７の位置が、光源２７の外端（図５に示す左側外端Ｅ５又は右側外端Ｅ６）となる。
【００４２】
＜画像読取部を構成する各部（要部）の位置関係＞
以下、図５を参照して、画像読取部２０を構成する各部（以下、「要部」と称する）の位置関係につき説明する。図５は、本実施形態に係る非接触スキャナ装置１の要部の位置関係を示す図である。
【００４３】
図５に示すように、ここでは、画像読取部２０は、撮像部２６の受光面（図４Ｂ（ａ）参照）と光源２７の発光面（図４Ｂ（ｂ）参照）とが同一の高さに配置されているものとして説明する。図５に示す例では、その高さは、マット部１０の表面から距離Ｈの高さになっている。
【００４４】
また、ここでは、マット部１０の表面で反射して光源２７の発光面（以下、単に「光源２７」と称する）の左側内端Ｅ１と撮像部２６の受光面の右側外端ｅ１とを結ぶビーム角方向の線を「第１結線Ｌ１」とし、マット部１０の表面で反射して光源２７の右側内端Ｅ２と撮像部２６の受光面の左側外端ｅ２とを結ぶビーム角方向の線を「第２結線Ｌ２」として説明する。
【００４５】
また、ここでは、撮像部２６の中心軸ＣＬとマット部１０との交点を「撮像中心点Ｃ０」とし、光源２７の左側内端Ｅ１と撮像中心点Ｃ０とを結ぶビーム角方向の線を「第３結線Ｌ３」とし、光源２７の右側内端Ｅ２と撮像中心点Ｃ０とを結ぶビーム角方向の線を「第４結線Ｌ４」として説明する。
【００４６】
また、ここでは、マット部１０の表面で反射して光源２７の左側外端Ｅ５と撮像部２６の受光面の左側外端ｅ２とを結ぶビーム角方向の線を「第５結線Ｌ５」とし、マット部１０の表面で反射して光源２７の右側外端Ｅ６と撮像部２６の受光面の右側外端ｅ１とを結ぶビーム角方向の線を「第６結線Ｌ６」として説明する。
【００４７】
さらに、ここでは、「第１結線Ｌ１」とマット部１０との交点を「交点Ｃ１」とし、「第２結線Ｌ２」とマット部１０との交点を「交点Ｃ２」とし、「第５結線Ｌ５」とマット部１０との交点を「交点Ｃ５」とし、「第６結線Ｌ６」とマット部１０との交点を「交点Ｃ６」として説明する。
【００４８】
（１）図５に示すように、遮光部２５は、遮光部２５の左側内端Ｐ１の位置が、光源２７とマット部１０の表面との間の、第１結線Ｌ１上又は第１結線Ｌ１よりも内側に設定されている。また、遮光部２５は、遮光部２５の右側内端Ｐ２の位置が、光源２７とマット部１０の表面との間の、第２結線Ｌ２上又は第２結線Ｌ２よりも内側に設定されている。
【００４９】
（２）遮光部２５は、好ましくは、遮光部２５の左側内端Ｐ１の位置が、光源２７とマット部１０の表面との間の、第３結線Ｌ３上に設定されているとよい。また、遮光部２５は、好ましくは、遮光部２５の右側内端Ｐ２の位置が、光源２７とマット部１０の表面との間の、第４結線Ｌ４上に設定されているとよい。
【００５０】
（３）また、図５に示す例では、遮光部２５は、遮光部２５の左側外端Ｐ５の位置が、光源２７とマット部１０の表面との間の、第５結線Ｌ５上又は第５結線Ｌ５よりも外側に設定されている。また、遮光部２５は、遮光部２５の右側外端Ｐ６の位置が、光源２７とマット部１０の表面との間の、第６結線Ｌ６上又は第６結線Ｌ６よりも外側に設定されている。
【００５１】
なお、各結線Ｌ１，Ｌ２，Ｌ３、Ｌ４，Ｌ５，Ｌ６の傾き及び交点Ｃ１，Ｃ２，Ｃ５，Ｃ６の位置は、撮像部２６の外端ｅ１，ｅ２の位置、光源２７の内端Ｅ１，Ｅ２及び外端Ｅ５，Ｅ６の位置、撮像部２６及び光源２７とマット部１０との距離Ｈの値によって変動する。撮像部２６の外端ｅ１，ｅ２の位置、光源２７の内端Ｅ１，Ｅ２及び外端Ｅ５，Ｅ６の位置、距離Ｈの値は、それぞれ、非接触スキャナ装置１の設計時に定まる。遮光部２５の内端Ｐ１，Ｐ２及び外端Ｐ５，Ｐ６の位置は、設計時にこれらの位置及び距離Ｈの値が定まった後に、設定される。
【００５２】
＜要部の位置関係の根拠＞
図５に示す要部の位置関係（前記「画像読取部を構成する各部（要部）の位置関係」の章で説明された前記「（１）〜（３）の位置関係」）は、以下に説明する非接触スキャナ装置１の撮像時の動作状態を根拠にして設定されている。以下、非接触スキャナ装置１の撮像時の動作状態につき説明する。ここでは、非接触スキャナ装置１の撮像時の動作状態を分かり易く説明するために、比較例に係る非接触スキャナ装置１０１の動作状態と、本実施形態に係る非接触スキャナ装置１の動作状態とを対比して、説明する。
【００５３】
（比較例に係る非接触スキャナ装置の動作）
まず、図８を参照して、比較例に係る非接触スキャナ装置１０１の撮像時の動作状態について説明する。図８は、比較例に係る非接触スキャナ装置１０１の撮像時の動作状態を示す図である。図８（ａ）は、側面方向から見た、非接触スキャナ装置１０１の撮像時の動作状態を示している。また、図８（ｂ）は、上面方向から見た、非接触スキャナ装置１０１の撮像時の動作状態を示している。特に、図８（ｂ）は、撮像部２６の左側に配置された直線ＣＬｈ上の発光素子２２７から射出された射出光に対応する、マット部１０の表面の全反射領域Ｒを示している。
【００５４】
図８に示すように、比較例に係る非接触スキャナ装置１０１は、画像読取部１２０に、撮像部２６及び光源２７のみを備えた構成となっている。したがって、非接触スキャナ装置１０１は、本実施形態に係る非接触スキャナ装置１と異なり、画像読取部１２０に、遮光部２５（図４Ａ（ａ）及び図５参照）を備えていない。
【００５５】
非接触スキャナ装置１０１は、光源２７の全面から照射された照射光が遮られることなくマット部１０に到達する。そのため、非接触スキャナ装置１０１は、図８（ａ）に示すように、光源２７の全面から照射された照射光が、マット部１０で正反射する。
【００５６】
このとき、交点Ｃ１〜交点Ｃ５の範囲で反射した正反射光が、撮像部２６の開口部２６ｂ（図４Ｂ（ａ）参照）に直接入り込む。同様に、図８に示していないが、交点Ｃ２〜交点Ｃ６の範囲で反射した正反射光も、撮像部２６の開口部２６（以下、単に「撮像部２６」と称する）に直接入り込む。したがって、非接触スキャナ装置１０１は、第１結線Ｌ１と第５結線Ｌ５との間の領域を進行する正反射光が、撮像部２６に直接入り込み、また、図８に示していないが、第２結線Ｌ２（図５参照）と第６結線Ｌ６（図５参照）との間の領域を進行する正反射光が、撮像部２６に直接入り込む。
【００５７】
その結果、非接触スキャナ装置１０１は、撮像時に、光源２７の正反射像が映り込む。例えば、図８（ｂ）に示す直線ＣＬｈ上の発光素子２２７から射出された射出光に注目すると、光源２７の正反射像として、全反射領域Ｒで正反射した、直線ＣＬｈ上の発光素子２２７から射出された光の正反射像が映り込む。
【００５８】
（本実施形態に係る非接触スキャナ装置の動作状態）
これに対して、本実施形態に係る非接触スキャナ装置１は、光源２７の正反射像の映り込みを防止するために、遮光部２５（図４Ａ（ａ）及び図５参照）を備えている。以下、図６及び図７を参照して、本実施形態に係る非接触スキャナ装置１の撮像時の動作状態について説明する。図６及び図７は、それぞれ、本実施形態に係る非接触スキャナ装置１の撮像時の動作状態を示す図である。
【００５９】
ここでは、撮像部２６の受光面と光源２７の発光面とがマット部１０の表面から距離Ｈの位置に配置されているものとして説明する。
【００６０】
図６に示すように、本実施形態に係る非接触スキャナ装置１は、光源２７の全面から照射された照射光を遮光部２５によって部分的に遮る構成となっている。その遮光部２５は、少なくとも、第１結線Ｌ１と第５結線Ｌ５との間の領域及び第２結線Ｌ２（図５参照）と第６結線Ｌ６（図５参照）との間の領域を進行する照射光を遮る必要がある。そのため、遮光部２５は、前記「（１）の位置関係」の通り、遮光部２５の左側内端Ｐ１の位置が、光源２７とマット部１０の表面との間の、第１結線Ｌ１上又は第１結線Ｌ１よりも内側に設定されることが好ましい。また、遮光部２５は、前記「（１）の位置関係」の通り、遮光部２５の右側内端Ｐ２の位置が、光源２７とマット部１０の表面との間の、第２結線Ｌ２上又は第２結線Ｌ２よりも内側に設定されることが好ましい。
【００６１】
このような構成により、非接触スキャナ装置１では、遮光部２５によって遮られなかった部分から漏れ出た照射光のみが、マット部１０に到達して、マット部１０の表面で反射する。そのため、図６に示すように、第１結線Ｌ１よりも内側（中心軸ＣＬ寄り側）の領域を進行する照射光及び第５結線Ｌ５よりも外側の領域を進行する照射光、並びに、図６に示していないが、第２結線Ｌ２（図５参照）よりも内側（中心軸ＣＬ寄り側）の領域を進行する照射光及び第６結線Ｌ６（図５参照）よりも外側の領域を進行する照射光のみが、マット部１０に到達して、マット部１０の表面で反射する。
【００６２】
その正反射光は、第１結線Ｌ１と第５結線Ｌ５との間の領域及び第２結線Ｌ２（図５参照）と第６結線Ｌ６（図５参照）との間の領域から外れた領域を進行するため、撮像部２６に直接入り込まない。
【００６３】
したがって、非接触スキャナ装置１は、第１結線Ｌ１と第５結線Ｌ５との間の領域及び第２結線Ｌ２（図５参照）と第６結線Ｌ６（図５参照）との間の領域との間の領域を進行する光の撮像部２６への入り込みを防止している。そのため、非接触スキャナ装置１は、撮像時に、光源２７の正反射像が映り込むのを防止することができる。
【００６４】
なお、非接触スキャナ装置１は、光源２７の全面から照射された照射光を遮光部２５によって部分的に遮る。そのため、図６に示すように、遮光部２５の影となる領域（以下、「影領域」と称する）Ｄが、マット部１０の上に発生する。この影領域Ｄは、交点Ｃ１〜交点Ｃ５の領域及び交点Ｃ２〜交点Ｃ６の領域に発生する。ただし、この影領域Ｄは、遮光部２５によって遮られなかった部分から漏れ出た照射光によって照らされることにより、一定以上の照度を有する領域となる。その結果、この影領域Ｄは、周囲の領域との照度差が緩和されて、遮光部２５の影が消えた状態になる。
【００６５】
例えば、中心軸ＣＬよりも左側に発生する影領域Ｄは、遮光部２５から漏れ出る光源２７の中心軸ＣＬよりも右側部分からの照射光によって照らされることにより、遮光部２５の影が消えた状態になる。同様に、中心軸ＣＬよりも右側に発生する影領域Ｄは、遮光部２５から漏れ出る光源２７の中心軸ＣＬよりも左側部分からの照射光によって照らされることにより、遮光部２５の影が消えた状態になる。
【００６６】
また、図６に示す例では、非接触スキャナ装置１は、遮光部２５から漏れ出る光源２７の中心軸ＣＬよりも右側部分からの照射光と遮光部２５から漏れ出る光源２７の中心軸ＣＬよりも左側部分からの照射光とが、交点Ｃ１〜交点Ｃ２の領域で重なる。そのため、交点Ｃ１〜交点Ｃ２の領域は、照度が他の領域よりも高くなる。そこで、非接触スキャナ装置１は、交点Ｃ１〜交点Ｃ２の領域が他の領域と同等な照度になるようにすることが好ましい。そのためには、非接触スキャナ装置１は、好ましくは、図６に示す交点Ｃ１〜交点Ｃ２の領域が遮光部２５の影領域Ｄになるようにするとよい。
【００６７】
そのような構成は、例えば、図７に示すように、遮光部２５の左側内端Ｐ１の位置を矢印Ａ１方向に移動させるとともに、遮光部２５の右側内端Ｐ２の位置を矢印Ａ２方向に移動させることによって、実現することができる。
【００６８】
例えば、遮光部２５の左側内端Ｐ１の位置が矢印Ａ１方向に移動すると、交点Ｃ１が撮像中心点Ｃ０方向に移動する。また、遮光部２５の右側内端Ｐ２の位置が矢印Ａ２方向に移動すると、交点Ｃ２が撮像中心点Ｃ０方向に移動する。これにより、撮像中心点Ｃ０付近の照度差を有する領域が、徐々に狭くなる。
【００６９】
そして、遮光部２５の左側内端Ｐ１の位置が光源２７とマット部１０の表面との間の第３結線Ｌ３上に設定された場合に、交点Ｃ１が撮像中心点Ｃ０と重なる。また、遮光部２５の右側内端Ｐ２の位置が光源２７とマット部１０の表面との間の第４結線Ｌ４上に設定された場合に、交点Ｃ２が撮像中心点Ｃ０と重なる。この場合に、交点Ｃ５〜交点Ｃ６の領域は、すべて遮光部２５の影領域Ｄになり、その結果、全域が同等な照度になる。
【００７０】
したがって、遮光部２５は、前記「（２）の位置関係」の通り、遮光部２５の左側内端Ｐ１の位置が、光源２７とマット部１０の表面との間の、第３結線Ｌ３上に設定されていることが特に好ましい。また、遮光部２５は、前記「（２）の位置関係」の通り、遮光部２５の右側内端Ｐ２の位置が、光源２７とマット部１０の表面との間の、第４結線Ｌ４上に設定されていることが特に好ましい。なお、影領域Ｄは、遮光部２５から漏れ出る光源２７からの照射光によって照らされることにより、遮光部２５の影が消えた状態になる。
【００７１】
また、非接触スキャナ装置１は、透光部２４（図４Ａ（ａ）参照）をロアフレーム２２（図４Ａ（ａ）参照）に設けることにより、第５結線Ｌ５よりも外側の領域及び第６結線Ｌ６（図５参照）よりも外側の領域に照射光を照射している。これにより、マット部２０の全面の照度を一定以上にする構成となっている。
【００７２】
したがって、遮光部２５は、前記「（３）の位置関係」の通り、遮光部２５の左側外端Ｐ５の位置が、光源２７とマット部１０の表面との間の、第５結線Ｌ５上又は第５結線Ｌ５よりも外側に設定されていることが好ましい。また、遮光部２５は、前記「（３）の位置関係」の通り、遮光部２５の右側外端Ｐ６の位置が、光源２７とマット部１０の表面との間の、第６結線Ｌ６上又は第６結線Ｌ６よりも外側に設定されていることが好ましい。
【００７３】
以上の通り、本実施形態に係る非接触スキャナ装置１によれば、光源の正反射像の映り込みを防止することができる。
【００７４】
本発明は、前記した実施形態に限定されることなく、本発明の要旨を逸脱しない範囲で種々の変更や変形を行うことができる。
【００７５】
例えば、実施形態では、光源２７は、複数のＬＥＤ素子で構成されている。しかしながら、光源２７は、ＬＥＤ素子以外の複数の発光体（例えば、ＥＬ素子等）で構成することができる。
【００７６】
また、例えば、光源２７は、上面方向から見て、撮像部２６の中心軸ＣＬを中心にして、点対称の位置に、等間隔に、複数の発光体（発光素子２２７）が配置された構成にすることができる。この場合に、遮光部２５は、発光体の位置に応じて形状を変更することができるため、リング以外の形状にすることができる。
【００７７】
また、例えば、光源２７及び撮像部２６は、第１結線Ｌ１（図５参照）とマット部１０との交点Ｃ１（図５参照）及び第２結線Ｌ２（図５参照）とマット部１０との交点Ｃ２（図５参照）が撮像部２６の中心軸ＣＬ（図５参照）上に位置するように、マット部１０からの距離が設定されるようにしてもよい。このような構成は、例えば、仕切り板２１ａ（図４Ａ（ａ）参照）を極薄に形成して光源２７及び撮像部２６を接近させることにより、又は、光源２７を撮像部２６よりも高い位置にずらすことにより、実現することができる。
【００７８】
また、例えば、図４Ａに示す透光部２４は、ロアフレーム２２に設けられた開口として、構成することもできる。この場合に、遮光部２５は、アッパフレーム２１から吊り下げられた板材のような構成となる。
【００７９】
また、例えば、支持部３０のアーム部３０ｂは、延伸方向に伸び縮みが可能な構成にすることができる。
【００８０】
また、例えば、支持部３０は、画像読取部２０と一体に構成することもできる。この場合に、支持部３０は、取付部３０ｃを備えない構成になる。
【００８１】
また、画像読取部２０は、ロアフレーム２２部分の高さを上下に調節できる構成にしてもよい。例えば、画像読取部２０は、アッパフレーム２１とロアフレーム２２との境界部分を「おねじ」と「めねじ」とで構成して、ロアフレーム２２部分を回す構成にすることにより、ロアフレーム２２部分の高さを上下に調節することができる。また、画像読取部２０は、ロアフレーム２２を上下にスライド可能な構成にしてもよい。このように構成することにより、非接触スキャナ装置１は、マット部１０と画像読取部２０との間の距離を支持部３０により常に一定の距離となるようにせずとも、ロアフレーム２２の可動による遮光部２５の可動範囲内であれば、マット部１０と画像読取部２０との間を任意の距離に変更することができる。
【符号の説明】
【００８２】
１    非接触スキャナ装置
１０    マット部
２０    画像読取部
２１    アッパフレーム
２１ａ    仕切り板
２１ｂ    係合部
２２    ロアフレーム
２３    透光部（開口可）
２４    透光部（遮光部可）
２５    遮光部
２６    撮像部
２６ａ    撮像素子
２６ｂ    開口部
２６ｃ    レンズ
２６ｄ    絞り機構
２７    光源
３０    支持部
３０ａ    支柱部
３０ｂ    アーム部
３０ｃ    取付部
９０    パーソナルコンピュータ（ＰＣ）
９１    表示部
９１ａ    撮像指示画面
９１ｂ    読取画像表示画面
２２７    発光素子（発光体）
Ｃ０    交点（撮像中心点）
Ｃ１，Ｃ２，Ｃ５，Ｃ６    交点
ＣＬ    中心軸
ＣＬＨ    主平面
Ｄ    影領域
Ｅ１    （光源の）左側内端
Ｅ２    （光源の）右側内端
Ｅ５    （光源の）左側外端
Ｅ６    （光源の）右側外端
ｅ１    （撮像部の）右側外端
ｅ２    （撮像部の）左側外端
Ｈ    距離
Ｌ１，Ｌ２，Ｌ３，Ｌ４，Ｌ５，Ｌ６    第１〜第６結線
Ｐ    帳票（撮像対象）
Ｐ１    （遮光部の）左側内端
Ｐ２    （遮光部の）右側内端
Ｐ５    （遮光部の）左側外端
Ｐ６    （遮光部の）右側外端
θ    ビーム角
【図１】
2012169801.tif 000003
【図２】
2012169801.tif 000004
【図３】
2012169801.tif 000005
【図４Ａ】
2012169801.tif 000006
【図４Ｂ】
2012169801.tif 000007
【図５】
2012169801.tif 000008
【図６】
2012169801.tif 000009
【図７】
2012169801.tif 000010
【図８】
2012169801.tif 000011